(57)【特許請求の範囲】
【請求項１】
複数のチャネルを送信する送信線を介してマルチメディアドキュメントを受信する方法において、
該マルチメディアドキュメントはディジタル信号の形態で、テキスト、静止画、グラフィクス、ディジタルビデオ、ディジタルサウンド、又は、テキスト、静止画、グラフィクス、ディジタルビデオ、ディジタルサウンドの任意の組合せであり、
前記複数のチャネルの少なくともひとつは前記マルチメディアドキュメントをあらわす時分割多重されたサブチャネルと制御信号を含み、
前記送信線から受信した信号はチューナの出力までは通常のテレビジョンの信号のように扱われ、
該チューナの出力信号つまり前記複数のチャネルのひとつに対応する出力信号は、マルチメディアプレーヤにより記録され、記録を取り出した後に、復調され、ディジタル化され、デマルチプレクサされ、前記制御信号が取り出され、前記制御信号を監視することにより、再生装置がユーザのプログラムに従って、分配されたマルチメディアドキュメントを再生する、
方法。
【請求項２】
前記複数のサブチャネルの各々のデータレートが数ｋｂｉｔ／ｓの範囲、ほぼ１．４Ｍｂｉｔ／ｓのシングルＣＤデータレート、又は６．８Ｍｂｉｔ／ｓ又は８Ｍｂｉｔ／ｓのＴＶプログラムのために十分な値である請求項１に記載の方法。
【請求項３】
前記マルチメディアプレーヤはＣＤ−Ｉプレーヤとして使用され、磁気光学ディスクの記録容量を使用する、請求項１又は２に記載の方法。
【請求項４】
前記マルチメディアプレーヤが電子プレス応用のため使用される請求項１から３のいずれか１項に記載の方法。
【請求項５】
前記マルチメディアプレーヤがテレビジョン及びラジオの環境、又はパーソナル又はホームコンピュータの環境で使用される請求項１から４のいずれか１項に記載の方法。
【請求項６】
送信線を介してマルチメディアドキュメントを受信する装置において、
該マルチメディアドキュメントは、テキスト、静止画、グラフィクス、ディジタルビデオ、ディジタルサウンド、又は、テキスト、静止画、グラフィクス、ディジタルビデオ、ディジタルサウンドの任意の組合せであり、前記送信線は、複数のチャネルを送信し、
複数のチャネルの少なくともひとつはビットストリームを含み、該ビットストリームは時分割多重された複数のサブチャネルと制御情報を含み、該サブチャネルはマルチメディアドキュメントをあらわすディジタル信号を含み、
前記装置は受信手段と、復調、ディジタル化、デマルチプレクス及び前記ビットストリームからの制御情報の取り出しのための送信チャネル復号手段を有し、
前記装置はさらにユーザのプログラムに従ってマルチメディアドキュメントを記録及び取り出すためのマルチメディア再生記録手段とを有し、
前記マルチメディア再生記録手段は、チャネルのディジタルデータストリームの全体を記録し、サブチャネルのデマルチプレクスと制御情報の取り出しがデータの取り出し時に行われる、
装置。
【請求項７】
前記マルチメディア再生記録手段は、磁気光学ディスクのような書込み可能なＣＤに適している、請求項６に記載の装置。
【請求項８】
マルチメディアドキュメントのリモート保存を可能とするリモートチャネルインターフェースを有する、請求項６又は７に記載の装置。
【請求項９】
異なるサブチャネルのデータへのアクセス許可と禁止のためのスマートカード読み取り器を具備する、請求項６から８のいずれか１項に記載の装置。
【発明の詳細な説明】
本発明は、テレビチャネルを介していくつかの異なる情報を同時に伝送してマルチメディア分配及びマルチメディアドキュメントの記録／再生をすることに関する。
いわゆるマルチメディアドキュメントは次のようなものを含む電子的なドキュメントである。
・テキスト
・スチール画（静止画）
・グラフィック
・ディジタルサウンド
・ディジタルビデオ
・データの前述の種類の組み合わせ
異なる情報を供給するためにビデオテキストとピクチャインピクチャのテレビ受像器を使用することはすでに知られている。しかし、通常のテレビチャネルによって通信される異なる情報の数はテレビ信号の帯域によって限られる。
また、ネットワーク上で他のマルチメディア端末装置に接続される複数の周辺装置を同時に動作させることができるマルチメディア端末装置が知られている。例えばＥＰ−Ａ−０ ４３５ ３４４参照。マルチメディア端末装置は、複数のチャネルを有する伝送線を介して他のマルチメディア端末装置に接続される。
また、ディジタル圧縮技術に基づいて直接放送衛星システム（ＤＢＳ）を介してディジタルテレビ信号の通信が発展下にある。そのようなシステムはディジタル的に圧縮されたビデオ及びオーディオ信号を伝送し得、選択的に、衛星通信による関連するデータの制御／状況アクセスデータを伝送し得る。
２０〜３０Ｍｂｉｔ／ｓの通信網データ伝送率での多数の通信チャネルが提供される。ビデオ及びオーディオを圧縮するために、ＭＰＥＧ  １アルゴリズム（モーション  ピクチャ  エクスパート  グループ）が使用される。
本発明の主旨は低コストでマルチメディアドキュメントの多重の記録及び再生、分配を可能にするシステムを構築することである。この問題点は請求の範囲第１項〜第７項に開示されていることにより解決される。更なる詳細は従属する請求項に示されている。
本発明は多数のマルチメディアドキュメントを同時に分配するためにテレビチャネル又はその帯域の一部を使用し、一方、記録及び再生の目的のためには既知の装置を機能を付加して使用するというアイディアに基づく。
その方法はいくつかのマルチメディアドキュメントがコンパクトディスクのようなディジタル記憶装置あるいはディジタルビデオテープの中に読込まれる。これらのディジタル記憶装置は送信側でディジタル信号源として働く。ディジタル信号はいくつかのサブチャネルを介してマルチプレクサに送られる。
同時に分配される可能なサブチャネルの数、従って、マルチメディアドキュメントの数は、
・利用可能な通信チャネルの数
・各チャネルの帯域幅
・各サブチャネルにおけるビット率
によって制限される。
例えば、１つのチャネル上で次の分配機構が可能である。（チャネル容量２３．６Ｍｂｉｔ／ｓを前提とする）
例１：約１．４Ｍｂｉｔ／ｓのデータ伝送率のシングルコンパクトディスク（ＣＤ）で１６サブチャネル
例２：各６．８Ｍｂｉｔ／ｓでの３ｔｖプログラムサブチャネル、プラス、各シングルＣＤデータ伝送率を有する２サブチャネル。
例３：各８Ｍｂｉｔ／ｓでの２ｔｖプログラムサブチャネル、プラス、シングルＣＤデータ伝送率を有する１サブチャネル、プラスダブルＣＤデータ伝送率を有する２サブチャネル。
異なるマルチメディアドキュメントを含むいくつかのサブチャネルを伝送するために、サブチャネルは通信チャネルでタイム−マルチプレクサ（時分割多重）される。
これは次のような効果を有する。
・全体のチャネル容量のフレキシブルな使用が可能である。
・チャネル内の、他の方法では不使用で残存する帯域幅がマルチメディアドキュメントを伝送するために使用され得る。
本実施例において、数ｋｂｉｔ／ｓから全体のチャネル容量までの平均ビット伝送率を有しマルチプレクサに送られるいくつかのサブチャネルが放送スタジオの側にもうけられる。マルチプレクサにおいて、サブチャネルはタイム−マルチプレクサされ、制御情報が付加される。その後データはエラー無し通信を保証するためにチャネル符号化を行うことが好ましい。送信側での最後のステップは、アナログ信号への変調及び衛星、ケーブルネット又は地上の放送などの異なるメディアを介しての輻射である。
受信側において、衛星、ケーブル又は地上伝送を介しての受信後に信号は復調、エラーチェック、及びデマルチプレクサを通過する。復調器はいくつものチャネルの中の１つの出力のみを同時に処理する。デマルチプレクサの仕事は１つの通信チャネルの中の異なるサブチャネルを分離し、データストリームから制御情報を得ることである。
記憶装置としては２つのクラスに可能である。
ａ）１つのチャネルの全体のデータのストリームを記録する装置はディジタルＶＣＲである。異なるサブチャネルの選択は使用者の選択に従ってビットストリームに含まれる制御情報を使用して再生時に行われる。
ｂ）１つの通信チャネルの中のｎサブチャネルから１つのサブチャネルを選択し記録する。この装置はＣＤマルチメディアプレーヤと呼ばれるディスクベースの装置である。
通信にふくまれる制御情報を監視することによって、通信チャネル復号化器は使用者のプログラムに従って、ＣＤマルチメディアプレーヤに分配されたドキュメントを記録させる。通信チャネル復号化器は外部のボックスにハウジングされ得、又はＣＤマルチメディアプレーヤの集積化部分であり得る。分配はテレビ放送がなくなる夜間に、又はすべての時間で別のチャネルの手段によってなされ得る。
ＣＤマルチメディアプレーヤは周知のＣＤ−Ｉ−プレーヤの付加的な機能を有する特別なセットである。この付加的な機能はＣＤ読取専用及び、例えば書込み可能な磁気光学ディスクを用いることの可能性である。更なる付加的機能は磁気光学ディスク上へのマルチメディアドキュメントのリモート記憶のための可能性を提供するリモートチャネルインターフェースである。
選択的に、ＣＤマルチメディアプレーヤは異なるサブチャネルでデータにアクセスの禁止又は許可をするためのスマートカード読取器を具備している。
更なるオプションとして、コンピュータシステムに接続されるコンピュータインターフェースがある。
ＣＤマルチメディアプレーヤが使用される応用に２つのグループがある。
応用の第１のグループはＣＤ−Ｉ応用と同じ第１のサブグループに関し、ＣＤディジタルオーディオ、ＣＤインタラクティブ、ＣＤ−ホト及びＣＤ−ＲＯＭである。第２のサブグループは磁気光学ディスクの記録機能を使用するもので、消去可能であってＣＤと同じフォーマットのＣＤ、消去可能であって書込み可能であってかつコンピュータ使用のためのＣＤ、パーソナル又はホームコンピュータにおける大容量格納メディアである。
応用の第２のグループは電子的なプレスと呼ばれ得るものである。それらの一例は、データベースのダウンロード及びアップデートのリモートダウンロード及びアップデートして、画像又はビデオシーケンス、通信教育課程の教育ソフトウェアを有する供給情報を含む電子的な新聞や電子的な雑誌、カタログである。また、磁気光学ディスクの記録可能機能に基づき、前述の方法によるマルチメディアドキュメントの大量分配を使用する。
ＣＤマルチメディアプレーヤは好ましい環境で使用される。
ＣＤＭＭ、テレビ及びステレオセット
あるいは
ＣＤＭＭ、パーソナル又はホームコンピュータ
ＣＤ−Ｉのみのプレーヤとほとんど同じコストでＣＤマルチメディアプレーヤは周知のＣＤ−Ｉよりかなり広い応用に門戸を開き、専門家や消費者の両方に対してもマルチメディアのプラットフォームとなる。
図１は放送スタジオ側における放送の概要を示す図である。
図２はＣＤＭＭプレーヤ及びディジタルＶＣＲの２種類の記憶装置を有する受信側での概要を示す図である。
図３はＣＤＭＭプレーヤの構成を示すブロック図である。
図４はＣＤ−Ｉ／記録可能の様子を示す図である。
図５はリモート記録の様子を示す図である。
図６はディジタルＶＣＲの構成を示すブロック図である。
マルチメディアシステムにより、例えば３つの新聞、２つのコンサート（純な音響）及び２つのフィルムを同時に通信できる。従って、ディジタル形式で格納されたこれらのドキュメントが放送スタジオで必要とされる。例えば新聞はコンピュータのハードディスク、コンサートはディジタルオーディオテープ、そしてフィルムはディジタルビデオテープ上に格納される。
ＣＤＭＭプレーヤの実施例
放送スタジオ側での図１に関して、マルチプレクサ／符号化器ＭＵＸＣＣに送られるシングル又はダブルのＣＤデータ伝送率を有するサブチャネルＳＣ１，ＳＣ２，・・・，ＳＣｎがもうけられる。ＣＤデータ伝送率は好ましくは１．４１Ｍｂｉｔ／ｓであるがこれに限定されない。ＣＤ伝送率チャネルの全体の数は通信チャネルの帯域幅に関して選択される。
マルチプレクサ／符号化器ＭＵＸＣＣにおいて、サブチャネルＳＣ１，ＳＣ２，・・・，ＳＣｎは時間マルチプレクサされ、制御情報が付加される。全体として、制御チャネルのコマンドとデータはドキュメント識別番号と、プログラムがあとｙ秒で開始することの注意、放送されるプログラムの開始、プログラムの終了、及び暗号化を有する。制御データのこの説明は完全ではないが、制御チャネルの基本的な要点をリストアップしている。その後、データはエラー無しの通信を保証するために前進エラー訂正ＦＥＣを受ける。送信側での最後のステップはアナログ信号への変調器ＭＯによる変調、及び衛星Ｓ、ケーブル網Ｃ又は地上Ｔの放送などの異なるメディアを介しての送信ＴＲである。
受信側で信号は受信後、通信チャネル復号化器ＴＣＤに送られる。ＴＣＤにおいて、信号は復調され、ディジタル化及びデマルチプレクサされる。また、エラーチェック及び隠蔽が可能である。制御情報はビットストリームから抽出される。送信ＴＲに供給される制御情報を監視することによって、通信チャネル復号化器ＴＣＤは使用者のプログラムに従って、ＣＤマルチメディアプレーヤＣＤＭＭに放送されたドキュメントを記録させる。ＣＤマルチメディアプレーヤＣＤＭＭはスタンバイモードであるのでウェークアップする必要がある。これは、使用者のプログラムに一致するプログラム識別を見つけたときに通信チャネル復号化器ＴＣＤによってなされる。また数ｙはジュークボックスのようなマルチディスクプレーヤの使用を考慮している。また、制御データには、スタジオ側でデータを暗号化することによって及び受信側でキーによりデータを復号化することによってアクセス許可システムを実現するための手段がある。
通信チャネル復号化器ＴＣＤは外部の箱の内部に収納され得、又はＣＤマルチメディアプレーヤＣＤＭＭの集積化された部分であり得る。
分配はテレビ通信チャネルが利用できる夜間に又は別のチャネルで全時間帯に行う。図３に示すようにＣＤマルチメディアプレーヤＣＤＭＭは周知のＣＤ−Ｉ−プレーヤに付加的な機能を付加したセットである。この付加的な機能とはＣＤ読取専用や磁気光学ディスクＭＯＤのようなＣＤ書込みを用いることの可能性である。更なる付加機能は磁気光学ディスクＭＯＤ上のマルチメディアドキュメントのリモート格納に関する可能性を提供するリモートチャネルインターフェースＲＣＩである。
選択的に、ＣＤマルチメディアプレーヤＣＤＭＭは異なるサブチャネルＳＣ１，ＳＣ２，・・・，ＳＣｎでデータに禁止又は許可をアクセスするためのスマートカード読取器ＳＭＰを具備している。
更なるオプションはコンピュータシステムに接続するためのコンピュータインターフェースである。
図４及び図５を参照すると、ＣＤマルチメディアプレーヤＣＤＭＭにおいて応用可能な２つのグループがある。応用の第１のグループはＣＤ−Ｉ応用と同じ第１サブグループに関し、ＣＤディジタルオーディオ、ＣＤインタラクティブ、ＣＤ−ホト及びＣＤ−ＲＯＭである。第２のサブグループは磁気光学ディスクＭＯＤの記録機能の使用：消去可能であってＣＤと同じフォーマットで、消去可能であって書込み可能なコンピュータ使用のためのＣＤ、汎用のパーソナル又はホームコンピュータにおける大容量格納メディアである。
応用の第２のグループは電子的なプレスの応用と呼ばれる。それらの一例は、データベースのダウンロード及びアップデートのリモートダウンロード及びアップデートして、画像又はビデオシーケンス、通信教育課程の教育ソフトウェアを有する製品情報を含む電子的な新聞や電子的な雑誌、カタログである。また、磁気光学ディスクＭＯＤの記録可能機能に基づき、前述の方法を有するマルチメディアドキュメントの主要な分配を使用する。
ＤＶＣＲの実施例
ＤＶＣＲは記憶メディアとしての磁気テープを使用し、従って、この装置は全チャネルのデータ伝送率までの１つのサブチャネルに対応するデータ伝送率でデータを格納できるものである。
図６はＤＶＣＲのブロック図である。その構成はＣＤＭＭに類似する。物理的蓄積ユニットはカセットテープドライブである。
【図１】
0004420983.tif 000002
【図２】
0004420983.tif 000003
【図３】
0004420983.tif 000004
【図４】
0004420983.tif 000005
【図５】
0004420983.tif 000006
【図６】
0004420983.tif 000007